(57)【要約】      （修正有）【課題】安全性を高めた送電システムを提供する。【解決手段】送電システムは、レーザ光を出力する出力装置と、出力されるレーザ光を伝送するケーブル１３と、ケーブル１３により伝送されたレーザ光を光電変換する変換装置１２とを備えている。ケーブル１３は、レーザ光を伝送する光ファイバ２１と、光ファイバ２１の先端側に設けられ変換装置１２に接続するプラグ２２とを有している。プラグ２２は、変換装置１２の受け部１７に挿し込むとプラグ２２内の伝送路を開いてレーザ光を変換装置１２の変換器１８へ出力すると共に、受け部１７に対する挿し込みを解除するとプラグ２２内の伝送路を閉じてレーザ光を外部へ出力不能とする安全カバー２７を備えている。【選択図】図３
2019124736.tif 000002
【特許請求の範囲】
【請求項１】
レーザ光を出力する出力装置と、前記出力装置から出力されるレーザ光を伝送するケーブルと、前記ケーブルにより伝送されたレーザ光を光電変換する変換装置と、を備え、
前記ケーブルは、レーザ光を伝送する光ファイバと、当該光ファイバの先端側に設けられ前記変換装置に接続するプラグと、を有し、
前記変換装置は、前記プラグが挿し込まれる受け部と、当該受け部に前記プラグを介して接続された前記ケーブルからのレーザ光の光電変換を行なう変換器と、当該変換器により得られた電力を出力する出力部と、を有し、
前記プラグは、前記受け部に挿し込むと当該プラグ内の伝送路を開いてレーザ光を前記変換器へ出力すると共に、前記受け部に対する挿し込みを解除すると当該プラグ内の伝送路を閉じてレーザ光を外部へ出力不能とする安全カバーを備えている、送電システム。
【請求項２】
前記出力装置は、太陽光励起レーザ光を発生させる太陽光励起レーザ装置である、請求項１に記載の送電システム。
【請求項３】
前記プラグは、前記光ファイバからのレーザ光を入射させ平行ビームとして出力するコリメータレンズを有している、請求項１又は２に記載の送電システム。
【請求項４】
前記プラグは、前記変換器へレーザ光を出力するために前記光ファイバからのレーザ光を通過させる開口部を有し、
前記安全カバーは、扉部材と、前記開口部を閉じる第一位置と前記開口部を開放する第二位置とに前記扉部材を移動可能に支持するガイド部と、前記第二位置の前記扉部材を前記第一位置へ移動させる方向に付勢するばねと、を有し、
前記プラグを前記受け部の接続完了位置に向かって移動させるにしたがって、当該受け部の一部が前記扉部材の一部を押すことで当該扉部材を前記第一位置から前記第二位置へ移動させる、請求項１〜３のいずれか一項に記載の送電システム。
【請求項５】
前記プラグは、前記変換器へレーザ光を出力するために前記光ファイバからのレーザ光を通過させる開口部を有し、
前記安全カバーは、前記開口部を中心として設けられている環状のフレームと、前記フレームに沿って複数設けられ径方向内方及び径方向外方へ移動可能として当該フレームに支持されている羽部材と、前記フレームに沿って周方向一方及び周方向他方へ往復移動可能であり前記羽部材を連動させるレバーと、を有し、
前記受け部には、前記レバーを誘導する螺旋状のガイド溝が設けられ、
前記プラグを前記受け部の接続完了位置に向かって移動させるにしたがって、前記レバーが前記ガイド溝に誘導されて周方向一方へ移動すると、複数の前記羽部材を径方向外方へ移動させて前記開口部を開け、
前記プラグを前記受け部の接続完了位置から退避させるにしたがって、前記レバーが前記ガイド溝に誘導されて周方向他方へ移動すると、複数の前記羽部材を径方向内方へ移動させて前記開口部を閉じる、請求項１〜３のいずれか一項に記載の送電システム。
【発明の詳細な説明】
【技術分野】
【０００１】
本発明は、送電システムに関する。
【背景技術】
【０００２】
エネルギーを伝送する手段として、例えば特許文献１に開示されているコードレス送電システムが提案されている。この送電システムでは、レーザ光を発生させて出力する第一装置と、レーザ光を光電変換して各種電気機器等に給電する第二装置との間において、レーザ光をコードレスで伝送している。
【先行技術文献】
【特許文献】
【０００３】
【特許文献１】特開２０１７−１３５８００号公報
【発明の概要】
【発明が解決しようとする課題】
【０００４】
特許文献１に開示されている送電システムのように、コードレスでレーザ光を伝送する場合、特に大気中でレーザ光を伝送する場合、安全性に注意が必要となる。
【０００５】
そこで、本発明は、安全性を高めた送電システムを提供することを目的とする。
【課題を解決するための手段】
【０００６】
本発明の送電システムは、レーザ光を出力する出力装置と、前記出力装置から出力されるレーザ光を伝送するケーブルと、前記ケーブルにより伝送されたレーザ光を光電変換する変換装置と、を備え、前記ケーブルは、レーザ光を伝送する光ファイバと、当該光ファイバの先端側に設けられ前記変換装置に接続するプラグと、を有し、前記変換装置は、前記プラグが挿し込まれる受け部と、当該受け部に前記プラグを介して接続された前記ケーブルからのレーザ光の光電変換を行なう変換器と、当該変換器により得られた電力を出力する出力部と、を有し、前記プラグは、前記受け部に挿し込むと当該プラグ内の伝送路を開いてレーザ光を前記変換器へ出力すると共に、前記受け部に対する挿し込みを解除すると当該プラグ内の伝送路を閉じてレーザ光を外部へ出力不能とする安全カバーを備えている。
【０００７】
この送電システムによれば、光ファイバを有するケーブルによりレーザ光を伝送する。また、レーザ光を光電変換する変換装置に対してプラグによりケーブルを接続したり接続解除したりする場合において、ケーブルから大気中等の外部へレーザ光が出力されないようにすることが可能となる。よって、送電システムは、高い安全性を有することができる。
【０００８】
また、前記出力装置は、太陽光励起レーザ光を発生させる太陽光励起レーザ装置であるのが好ましく、この場合、高い効率でエネルギーを得ることができる。
【０００９】
また、前記プラグは、前記光ファイバからのレーザ光を入射させ平行ビームとして出力するコリメータレンズを有しているのが好ましく、この場合、光電変換の効率を高めることが可能となる。
【００１０】
また、前記プラグは、前記変換器へレーザ光を出力するために前記光ファイバからのレーザ光を通過させる開口部を有し、前記安全カバーは、扉部材と、前記開口部を閉じる第一位置と前記開口部を開放する第二位置とに前記扉部材を移動可能に支持するガイド部と、前記第二位置の前記扉部材を前記第一位置へ移動させる方向に付勢するばねと、を有し、前記プラグを前記受け部の接続完了位置に向かって移動させるにしたがって、当該受け部の一部が前記扉部材の一部を押すことで当該扉部材を前記第一位置から前記第二位置へ移動させる構成とすることができる。
この安全カバーによれば、プラグを受け部に接近させると扉部材がプラグの開口部を開放し、レーザ光を変換器へ出力することができ、プラグを受け部から離すとばねによって扉部材が開口部を閉じ、レーザ光をプラグから大気中等の外部へ出力不能とすることができる。
【００１１】
または、前記プラグは、前記変換器へレーザ光を出力するために前記光ファイバからのレーザ光を通過させる開口部を有し、前記安全カバーは、前記開口部を中心として設けられている環状のフレームと、前記フレームに沿って複数設けられ径方向内方及び径方向外方へ移動可能として当該フレームに支持されている羽部材と、前記フレームに沿って周方向一方及び周方向他方へ往復移動可能であり前記羽部材を連動させるレバーと、を有し、  前記受け部には、前記レバーを誘導する螺旋状のガイド溝が設けられ、前記プラグを前記受け部の接続完了位置に向かって移動させるにしたがって、前記レバーが前記ガイド溝に誘導されて周方向一方へ移動すると、複数の前記羽部材を径方向外方へ移動させて前記開口部を開け、前記プラグを前記受け部の接続完了位置から退避させるにしたがって、前記レバーが前記ガイド溝に誘導されて周方向他方へ移動すると、複数の前記羽部材を径方向内方へ移動させて前記開口部を閉じる構成とすることができる。
この安全カバーによれば、プラグを受け部に接近させると複数の羽部材がプラグの開口部を開放し、レーザ光を変換器へ出力することができ、プラグを受け部から離すと羽部材が開口部を閉じ、レーザ光を大気中等の外部へ出力不能とすることができる。
【発明の効果】
【００１２】
本発明によれば、レーザ光を出力する出力装置とレーザ光を光電変換する変換装置との間でレーザ光を伝送する伝送システムにおいて、高い安全性を有することができる。
【図面の簡単な説明】
【００１３】
【図１】本発明の送電システムの一例を示す概略構成図である。
【図２】ケーブルが変換装置に接続された状態を説明する模式図である。
【図３】変換装置に対するケーブルの接続が解除されている状態を説明する模式図である。
【図４】扉部材がプラグ内の伝送路を閉じてレーザ光を変換器へ出力不能としている状態の説明図である。
【図５】扉部材がプラグ内の伝送路を開いてレーザ光を変換器へ出力可能としている状態を示す説明図である。
【図６】伝送路が開口している先端側からプラグを見た説明図である。
【図７】安全カバーの変形例を説明する説明図である。
【図８】変換装置の受け部の正面図である。
【図９】羽部材がプラグ内の伝送路を閉じてレーザ光を変換器へ出力不能としている状態の説明図である。
【図１０】羽部材がプラグ内の伝送路を開いてレーザ光を変換器へ出力可能としている状態を示す説明図である。
【発明を実施するための形態】
【００１４】
〔送電システムの構成〕
図１は、本発明の送電システムの一例を示す概略構成図である。図１に示す送電システム１０は、出力装置１１、変換装置１２、及び、これら出力装置１１と変換装置１２とを繋ぐケーブル１３を備えている。
【００１５】
図１に示す出力装置１１は、太陽光励起レーザ光を発生させる太陽光励起レーザ装置である。太陽光励起レーザ装置は、太陽光励起ファイバレーザを備えている。このため、出力装置１１は、図示しないが、太陽光集光部、レーザ媒質、及び共振器を有して構成されており、共振器からの出射後にレーザ光はケーブル１３が有する光ファイバ２１にカップリングされる。出力装置１１は、太陽光を、ミラー又はレンズ等で集光してレーザ媒質に照射及び吸収させることで、レーザ媒質を光励起してレーザ発振を行なう。このように、出力装置１１は、レーザ光を出力する。出力装置１１は、太陽電池を組み合わせて有することができ、これにより、半永久的なエネルギーを得ることができる。太陽光励起レーザは、単一波長の光であり、超高パワー密度を有し、高自由度という特徴を備えている。太陽光励起レーザは、例えば、ＹＡＧを利用したレーザ、ファイバを媒質としたレーザである。
【００１６】
図２は、ケーブル１３が変換装置１２に接続された状態を説明する模式図である。ケーブル１３は、レーザ光を伝送する光ファイバ２１と、この光ファイバ２１の先端側（一端側）に設けられているプラグ２２とを有している。プラグ２２が変換装置１２に接続される。ケーブル１３は細くなりすぎないように構成されている。このために、光ファイバ２１はチューブ（被覆材）２３により被覆されている。ケーブル１３の直径は、最小１０ミリメートル程度とすることができる。また、チューブ２３は、弾性を有しているが、ケーブル１３の曲がり角度が９０度以上とならないように剛性を有している。光ファイバ２１の他端側は、出力装置１１（図１参照）と接続されており、ケーブル１３は、出力装置１１から出力されるレーザ光を伝送する。
【００１７】
プラグ２２の外周面はテーパ形状を有している。プラグ２２は、その内部にレーザ光の伝送路２４を有し、プラグ２２の先端で伝送路２４は開口している。プラグ２２が有するこの開口を「開口部２５」と呼ぶ。伝送路２４には、コリメータレンズ２６が設けられている。コリメータレンズ２６は、光ファイバ２１からのレーザ光を入射させ平行ビームとして出力する。伝送路２４には、光ファイバ２１の先端と、コリメータレンズ２６とが含まれる。コリメータレンズ２６の先端が開口部２５と一致している。プラグ２２はゴム製であってもよく、金属製であってもよい。伝送路２４の端部の開口部２５は、変換器１８へレーザ光を出力するために、光ファイバ２１からのレーザ光を通過させる。
【００１８】
プラグ２２は、先細りとなっている先端側に、安全カバー２７を備えている。安全カバー２７は、変換装置１２の受け部１７にプラグ２２を挿し込むと（図２参照）、プラグ２２内の伝送路２４を開いてレーザ光を変換装置１２の変換器１８へ出力する。これに対して、受け部１７に対するプラグ２２の挿し込みを解除すると（図３参照）、安全カバー２７は、プラグ２２内の伝送路２４を閉じてレーザ光をプラグ２２の外部へ出力不能とする。図３は、変換装置１２に対するケーブル１３の接続が解除されている状態を説明する模式図である。安全カバー２７の具体的構成については、後に説明する。
【００１９】
図１に示すように、変換装置１２は、出力装置１１と離れて設置されている。本実施形態では、変換装置１２は、自動車（電気自動車）１４の蓄電池（バッテリ）１５に給電を行なうためのものである。変換装置１２からは電力線１６が延びて設けられており、変換装置１２は電力線１６を通じて給電し、自動車１４の蓄電池１５を充電することができる。本実施形態では、変換装置１２は、自動車１４に搭載されている。
【００２０】
図２及び図３において、変換装置１２は、プラグ２２が挿し込まれる受け部１７と、変換器１８と、出力部１９とを有している。受け部１７は、プラグ２２の外周面形状（テーパ形状）に対応したテーパ凹形状を有している。変換器１８は、受け部１７にプラグ２２を介して接続されたケーブル１３からのレーザ光の光電変換を行なう光電変換デバイスである。具体的には、変換器１８は、レクテナ又は光電池（太陽電池）である。変換器１８は、図示しないが、レーザ光の受光部を有し、受光部（一辺又は直径）を最小２ミリメートル程度とすることができる。出力部１９は、変換器１８により得られた電力を出力するためのものであり、前記電力線１６を含む。このように、変換装置１２は、ケーブル１３により伝送されたレーザ光を光電変換する。そして、変換装置１２は、電力を出力する。
【００２１】
〔安全カバー２７〕
プラグ２２が有する安全カバー２７の構成、及び安全カバー２７の開閉動作について説明する。図４は、安全カバー２７の扉部材３１が、プラグ２２内の伝送路２４（開口部２５）を閉じてレーザ光を変換器１８（図３参照）へ出力不能としている状態の説明図である。図５は、安全カバー２７の扉部材３１が、プラグ２２内の伝送路２４（開口部２５）を開いてレーザ光を変換器１８（図２）へ出力可能としている状態を示す説明図である。図６は、伝送路２４が開口している先端側からプラグ２２を見た説明図である。
【００２２】
安全カバー２７は、扉部材３１と、ガイド部３２と、ばね３３と、を有している。扉部材３１は、板状の部材であり、レーザ光を遮断する材質により構成されている。扉部材３１が、図４に示す第一位置Ｐ１にある状態で、開口部２５を閉鎖する。
【００２３】
ガイド部３２は、図６に示すように、プラグ２２の先端面２２ａに設けられている。ガイド部３２は、扉部材３１を、第一位置Ｐ１（図４参照）と、図５に示すようにプラグ２２の外周面２２ｂに沿う位置との間を移動（スライド移動）可能として支持する。図５に示す扉部材３１の位置を第二位置Ｐ２と呼ぶ。このように、ガイド部３２は、扉部材３１を、開口部２５を閉じる第一位置Ｐ１（図４参照）と、開口部２５を開放する第二位置Ｐ２（図５参照）とに移動可能に支持している。扉部材３１は、第一位置Ｐ１と第二位置Ｐ２との間を往復移動することができる。扉部材３１が、図５に示す第二位置Ｐ２にある状態で、開口部２５を開放する。
【００２４】
ばね３３は、図６に示すように、プラグ２２の先端面２２ａに設けられている。ばね３３の一端部３３ａは、プラグ２２に取り付けられており、ばね３３の他端３３ｂは、扉部材３１に取り付けられている。扉部材３１が第二位置Ｐ２にある状態（図５及び図６に示す状態）で、ばね３３が弾性的に伸長した状態となる。つまり、ばね３３は、第二位置Ｐ２の扉部材３１を第一位置Ｐ１へ移動させる方向に付勢している。
【００２５】
図４及び図５において、受け部１７は突起３５を有している。突起３５は、ケーブル１３側に突出している。突起３５は、扉部材３１に形成されている凹部３６と係合する。突起３５は、プラグ２２が受け部１７に挿し込まれる際に、第一位置Ｐ１にある扉部材３１の凹部３６と係合する位置に設けられている。
【００２６】
図３から図２は、ケーブル１３のプラグ２２を、変換装置１２の受け部１７に接続する様子を示す。図３に示す状態から図２に示す状態に向かう動作を「接続操作」と呼ぶ。反対に、図２から図３は、ケーブル１３のプラグ２２を、変換装置１２の受け部１７から外す（接続を解除する）様子を示す。図２に示す状態から図３に示す状態に向かう動作を「接続解除操作」と呼ぶ。図２に示す受け部１７に対するプラグ２２の位置が、接続完了位置である。プラグ２２が接続完了位置にある状態で、ケーブル１３からのレーザ光を変換器１８が受光し、光電変換が行われる。
【００２７】
以上の構成を備えている安全カバー２７の動作について説明する。
図４は、前記接続操作の途中の状態を示している。プラグ２２を受け部１７に接近させると、突起３５が扉部材３１の凹部３６の一部に接触し、更に、前記接近を継続することで、突起３５が凹部３６の一部（引っ掛かり面３６ａ）を押す。このように、前記接近を継続すると、第一位置Ｐ１にあった扉部材３１は、突起３５に押された状態となり、図５に示すように、第二位置Ｐ２へ移動する。図５に示す状態は、図２と同様、プラグ２２が接続完了位置にある状態である。
【００２８】
プラグ２２が接続完了位置に到達すると、図外のロック装置によって、プラグ２２は受け部１７から離脱不能となり、ケーブル１３（プラグ２２）は変換装置１２（受け部１７）に固定された状態となる。この状態で、ケーブル１３から供給されるレーザ光を変換器１８が受光し、光電変換が行われ、給電が開始される。
【００２９】
給電が終了すると、ケーブル１３を変換装置１２から外す。その操作は次のとおりである。まず、前記ロック装置を解除し、ケーブル１３（プラグ２２）が変換装置１２（受け部１７）から離脱可能となる。図５に示す状態から、ケーブル１３と共にプラグ２２を変換装置１２の受け部１７から引き離すと、ばね３３（図６参照）の復元力により、扉部材３１を第二位置Ｐ２（図５参照）から第一位置Ｐ１（図４参照）へ移動させる。扉部材３１が第一位置Ｐ１となることで、プラグ２２内の伝送路２４（開口部２５）を閉じ、レーザ光を外部へ出力不能とする。
【００３０】
以上のように、本実施形態の安全カバー２７によれば、プラグ２２を受け部１７の接続完了位置に向かって移動させるにしたがって、受け部１７の一部（突起３５）が扉部材３１の一部（凹部３６）を押すことで、扉部材３１を第一位置Ｐ１から第二位置Ｐ２へ移動させることができる。この安全カバー２７によれば、プラグ２２を受け部１７に接近させると扉部材３１がプラグ２２の開口部２５を開放し、レーザ光を変換器１８へ出力することができる。また、プラグ２２を受け部１７から離すと、ばね３３によって扉部材３１が開口部２５を閉じ、レーザ光をプラグ２２から大気中等の外部へ出力不能とすることができる。
【００３１】
安全カバー２７の変形例について説明する。図７は、安全カバー２７の変形例を説明する説明図である。変換装置１２の受け部１７には、突起３５（図４参照）の代わりにガイド溝４４が設けられている。この点を除いて、受け部１７の形態は同じである。図８は、受け部１７の正面図である。図９は、図７に示す安全カバー２７の羽部材４２が、プラグ２２内の伝送路２４（開口部２５）を閉じてレーザ光を変換器１８（図７参照）へ出力不能としている状態の説明図である。図１０は、図７に示す安全カバー２７の羽部材４２が、プラグ２２内の伝送路２４（開口部２５）を開いてレーザ光を変換器１８（図７）へ出力可能としている状態を示す説明図である。
【００３２】
安全カバー２７は、環状のフレーム４１と、フレーム４１に支持されている複数の羽部材４２と、羽部材４２を連動させるレバー４３とを有している。環状のフレーム４１は、プラグ２２の先端に取り付けられている（図７参照）。図１０に示すように、フレーム４１は、開口部２５を中心として設けられている。
【００３３】
図９及び図１０に示すように、フレーム４１に沿って複数の羽部材４２が設けられている。各羽部材４２は、径方向内方及び径方向外方へ移動可能としてフレーム４１に支持されている。各羽部材４２は、周方向で隣の羽部材４２と一部で重なることができる。各羽部材４２は、板状の部材であり、レーザ光を遮断する材質により構成されている。図９に示すように、全ての羽部材４２が、径方向内側位置Ｐ３にある状態で、開口部２５を閉鎖する。これに対して、図１０に示すように、全ての羽部材４２が、径方向外側位置Ｐ４にある状態で、開口部２５を開放する。
【００３４】
レバー４３は、フレーム４１に沿って周方向一方及び周方向他方へ往復移動可能に設けられている。レバー４３の一部は、フレーム４１から径方向外側へ突出している。図９に示す状態から、レバー４３がフレーム４１に沿って周方向一方側（図９において時計回り）へ移動すると、径方向内側位置Ｐ３にあった羽部材４２は、図１０に示すように、径方向外側位置Ｐ４へ移動する。これとは反対に、レバー４３がフレーム４１に沿って周方向他方側へ移動すると、径方向外側位置Ｐ４にあった羽部材４２は、図９に示すように、径方向内側位置Ｐ３へ移動する。このように、図７に示す安全カバー２７は、レバー４３の周方向の移動と羽部材４２の径方向の移動とが機械的に連動した構成を有している。この構成は、カメラの絞りの構造と同様である。
【００３５】
図７及び図８に示すように、受け部１７には、レバー４３を誘導する螺旋状（本実施形態では１／４周の範囲）のガイド溝４４が設けられている。図７に示す状態から、プラグ２２を受け部１７に接近させ、ガイド溝４４の一端部４４ａにレバー４３の一部を接触させる。前記接近を継続すると、レバー４３は、ガイド溝４４に沿って進む。プラグ２２が受け部１７内の奥部の位置である接続完了位置に到達すると、レバー４３は、ガイド溝４４の他端部４４ｂへ移動する。つまり、レバー４３は、フレーム４１に対して所定角度（本実施形態では９０度）について周方向に移動する。このようにレバー４３が移動した状態のプラグ２２の位置が、受け部１７内においてプラグ２２の接続完了位置となる。
【００３６】
これに対して、接続完了位置にあるプラグ２２を受け部１７から引き離すにしたがって、レバー４３は、ガイド溝４４に沿って、前記接近の場合と反対向きに進む。レバー４３がガイド溝４４の一端部４４ａまで移動すると、そのレバー４３は、フレーム４１に対して所定角度（本実施形態では９０度）について周方向に移動する。このようにガイド溝４４は、プラグ２２を受け部１７に接近させるにしたがってレバー４３を周方向一方へ誘導し、また、プラグ２２を受け部１７から離すにしたがってレバー４３を周方向他方へ誘導する螺旋状の溝形状を有している。
【００３７】
図７に示す安全カバー２７の動作は次のとおりである。ケーブル１３を変換装置１２に接続するために、プラグ２２を受け部１７に接近させる。プラグ２２を受け部１７の接続完了位置に向かって移動させるにしたがって、レバー４３はガイド溝４４に誘導されて周方向一方へ移動する。この移動にあわせて、複数の羽部材４２は径方向外方へ移動して開口部２５が開く（図１０参照）。プラグ２２が接続完了位置に到達すると、図外のロック装置によって、プラグ２２は受け部１７から離脱不能となり、ケーブル１３（プラグ２２）は変換装置１２（受け部１７）に固定された状態となる。この状態で、ケーブル１３から供給されるレーザ光を変換器１８が受光し、光電変換が行われ、給電が開始される。
【００３８】
給電が終了すると、ケーブル１３を変換装置１２から外す。そのために前記ロック装置を解除し、ケーブル１３（プラグ２２）が変換装置１２（受け部１７）から離脱可能となる。そして、ケーブル１３を変換装置１２から引き抜く操作を行なう。この際、プラグ２２が受け部１７の接続完了位置から退避するにしたがって、レバー４３がガイド溝４４に誘導されて周方向他方へ移動する。この移動にあわせて、複数の羽部材４２は径方向内方へ移動して開口部２５が閉じられる（図９参照）。
【００３９】
この安全カバー２７によれば、プラグ２２を受け部１７に接近させると複数の羽部材４２がプラグ２２の開口部２５を開放し、レーザ光を変換器１８へ出力することができる。また、プラグ２２を受け部１７から離すと、羽部材４２が開口部２５を閉じ、レーザ光をプラグ２２から大気中等の外部へ出力不能とすることができる。
【００４０】
以上のように、図４及び図７に示す各形態において、プラグ２２は安全カバー２７を備えている。安全カバー２７は、プラグ２２が受け部１７に挿し込まれるとプラグ２２内の伝送路２４を開いてレーザ光を変換器１８へ出力すると共に、受け部１７に対するプラグ２２の挿し込みが解除されるとプラグ２２内の伝送路２４を閉じてレーザ光を大気中等の外部へ出力不能とする。
【００４１】
以上の前記各形態の送電システム１０によれば、光ファイバ２１を含むケーブル１３によりレーザ光が伝送される。また、レーザ光を光電変換する変換装置１２に対してプラグ２２によりケーブル１３を接続したり接続解除したりする必要があるが、この場合において、ケーブル１３から大気中等の外部へレーザ光が出力されないようにすることが可能となる。よって、送電システム１０は、高い安全性を有することができる。レーザ光が光ファイバ２１により伝送されることで、自由度が高く、エネルギー損失を低くして送電が可能となる。
【００４２】
また、本実施形態の送電システム１０では、出力装置１１が、太陽光励起レーザ光を発生させる太陽光励起レーザ装置である。このため、高い効率でエネルギーを得ることができる。
【００４３】
また、図２及び図７に示すように、プラグ２２は、光ファイバ２１からのレーザ光を入射させ平行ビームとして出力するコリメータレンズ２６を有している。このため、変換装置１２による光電変換の効率を高めることが可能となる。
【００４４】
今回開示した実施形態はすべての点で例示であって制限的なものではない。本発明の権利範囲は、上述の実施形態に限定されるものではなく、特許請求の範囲の範囲に記載された構成と均等の範囲内でのすべての変更が含まれる。
【００４５】
安全カバー２７は、図示した構成以外であってもよく、例えば、図示しないが、受け部１７に設けられたセンサがプラグ２２を検知すると、扉部材３１（羽部材４２）を電動で開く構成としてもよい。
【００４６】
前記実施形態では（図１参照）送電システム１０によって、自動車１４の蓄電池１５に給電を行なう場合について説明したが、給電の対象は自動車１４（蓄電池１５）以外であってもよく、家庭用の蓄電池や、作業所で稼働するロボット（パワードスーツ）の蓄電池等であってもよい。また、変換装置１２が蓄電池を備えており、この蓄電池に電力を一端蓄積し、外部機器へ給電するように構成してもよい。
【符号の説明】
【００４７】
１０：送電システム        １１：出力装置        １２：変換装置
１３：ケーブル            １７：受け部          １８：変換器
１９：出力部              ２１：光ファイバ      ２２：プラグ
２４：伝送路              ２５：開口部          ２６：コリメータレンズ
２７：安全カバー          ３１：扉部材          ３２：ガイド部
３３：ばね                ４１：フレーム        ４２：羽部材
４３：レバー              ４４：ガイド溝        Ｐ１：第一位置
Ｐ２：第二位置
【図１】
2019124736.tif 000003
【図２】
2019124736.tif 000004
【図３】
2019124736.tif 000005
【図４】
2019124736.tif 000006
【図５】
2019124736.tif 000007
【図６】
2019124736.tif 000008
【図７】
2019124736.tif 000009
【図８】
2019124736.tif 000010
【図９】
2019124736.tif 000011
【図１０】
2019124736.tif 000012